(57)【要約】【課題】クリアランスの両側部位の相対変位に確実に追従することのできるエキスパンションジョイント装置の提供。【解決手段】クリアランス４を手前側から覆うジョイントカバー５を設ける。ジョイントカバー５を保持する保持フレーム６を設ける。保持フレーム６をクリアランス４の両側部位２ａ、２ｂで支持する。保持フレーム６を複数のフレーム部材７〜１０で構成する。複数のフレーム部材７〜１０をその軸方向にスライド自在に接続する。互いに接続するフレーム部材７〜１０の係合爪１８、２１、２２、２９、３０、３６の間にスライドピン１１ａ〜１１ｃを介装する。【選択図】  図３
2015059326.tif 000002
【特許請求の範囲】
【請求項１】
建築物のエキスパンションジョイント部のクリアランスを手前側から覆うジョイントカバーと、該ジョイントカバーを保持する保持フレームと、を備え、前記保持フレームがエキスパンションジョイント部のクリアランスを挟んで互いに対向する両側部位に支持されたエキスパンションジョイント装置であって、
前記保持フレームは、複数のフレーム部材をその軸方向にスライド自在に接続してなり、互いに接続されるフレーム部材のスライド部の間にスライド介装体が介装されたことを特徴とするエキスパンションジョイント装置。
【請求項２】
前記スライド介装体は、その中心軸を前記フレーム部材のスライド方向と平行に設定して配置したスライドピンとされたことを特徴とする請求項１に記載のエキスパンションジョイント装置。
【請求項３】
前記スライド部は、スライド介装体を介して互いにスライドするスライドレールとされ、該スライドレールよりも前記スライド介装体の長さが短く設定されたことを特徴とする請求項１又は２に記載のエキスパンションジョイント装置。
【請求項４】
前記フレーム部材が前後方向に重ねられ、前記フレーム部材が前後方向に離間するのを阻止するよう、前記スライドレールが互いにスライド介装体を介して前後方向に係合されたことを特徴とする請求項３に記載のエキスパンションジョイント装置。
【請求項５】
前記保持フレームは、その両端部がエキスパンションジョイント部の前記両側部位に回転自在に支持され、奥側のフレーム部材にヒンジ部が設けられると共に、該ヒンジ部を介して接続される両部位を相対的に回転させてヒンジ部を奥側に移動させる方向に付勢するばねが設けられ、手前側のフレーム部材に、奥側のフレーム部材に当接して前記ヒンジ部の奥側への移動を規制するストッパーが設けられたことを特徴とする請求項４に記載のエキスパンションジョイント装置。
【請求項６】
前記ストッパーは、手前側のフレーム部材の先端部に設けられたローラーとされたことを特徴とする請求項５に記載のエキスパンションジョイント装置。
【請求項７】
前記フレーム部材及びスライド介装体が異種金属から形成されたことを特徴とする請求項１〜６のいずれかに記載のエキスパンションジョイント装置。
【発明の詳細な説明】
【技術分野】
【０００１】
本発明は、例えば免震建築物のエキスパンションジョイントに用いるエキスパンションジョイント装置に関するものである。
【背景技術】
【０００２】
一般に、複雑な構造の建築物や長大な建築物などでは、その建築物を複数のブロックに分割すると共に、エキスパンションジョイントによってブロック同士を接続し、気温の変化や地震、不同沈下などの影響をエキスパンションジョイント部で吸収して建築物の損傷を防止することが多い。特に、免震建築物では、地震時にブロック間の大きな相対変位が生じやすく、この大きな相対変位をエキスパンションジョイント部で吸収するようにしている。
【０００３】
エキスパンションジョイントは、ブロック同士をその相対変位に追従可能に接続する接続手法であり、ブロック間に相対変位を吸収可能な大きさのクリアランスを形成すると共に、外壁や内壁、天井などに露出するクリアランスをその両側のブロックの相対変位に追従可能なエキスパンションジョイント装置で覆うようにしている。
【０００４】
例えば、特許文献１は、上記のようなエキスパンションジョイント装置（伸縮継手装置）として、固定目地プレート１０１に一方のレール１０２を固定すると共に、可動目地プレート１０３に他方のレール１０４を固定した構造を開示している（図１５参照）。このエキスパンションジョイント装置は、一方のレール１０２を他方のレール１０３にスライド自在に挿入することにより、固定目地プレート１０１及び可動目地プレート１０３の相対変位に追従して伸縮する。
【先行技術文献】
【特許文献】
【０００５】
【特許文献１】特開２００８−９５２９６（段落番号００４１、図５）
【発明の概要】
【発明が解決しようとする課題】
【０００６】
ところが、特許文献１のエキスパンションジョイント装置は、一方のレールを他方のレールに挿入してレール同士をスライドさせるものであり、そのスライドが阻害された場合には、クリアランスの両側部位が相対変位する際に、エキスパンションジョイント装置が破損するおそれがある。
【０００７】
本発明は、クリアランスの両側部位の相対変位に確実に追従することのできるエキスパンションジョイント装置の提供を目的とする。
【課題を解決するための手段】
【０００８】
上記目的を達成するために、本発明に係るエキスパンションジョイント装置は、建築物のエキスパンションジョイント部のクリアランスを手前側から覆うジョイントカバーと、このジョイントカバーを保持する保持フレームと、を備えたものであり、その保持フレームをエキスパンションジョイント部のクリアランスを挟んで互いに対向する両側部位で支持したものである。さらに、保持フレームは、複数のフレーム部材をその軸方向にスライド自在に接続し、互いに接続するフレーム部材のスライド部の間にスライド介装体を介装したものである。
【０００９】
上記構成によれば、複数のフレーム部材のスライド部の間にスライド介装体を介装するので、スライド介装体の素材や形状を適宜設定して、スライド部のスライド性能を高めることができる。これにより、フレーム部材をその強度や重量などに着目して部材性能を設定しつつ、スライド介装体を介装しただけの簡単な構成によって複数のフレーム部材を互いにスライドしやすくすることができ、保持フレームをクリアランスの両側部位の相対変位に確実に追従させることができる。
【００１０】
また、スライド介装体としては、その中心軸をフレーム部材のスライド方向と平行に設定して配置したスライドピンを例示することができる。
【００１１】
この構成によると、スライド介装体としてスライドピンを採用するので、球状のスライド介装体などを用いる場合と比較して、スライド介装体の取り扱いが容易であり、スライド介装体をスライド部の間に容易に介装することができる。なお、スライドピンに代えて、球状のスライド介装体を採用することにより、スライド性能をより高めるができ、この場合、スライド部及びスライド介装体の強度や設定可動量に応じて、球状のスライド介装体の個数を適宜設定すればよい。
【００１２】
また、スライド部を、スライド介装体を介して互いにスライドするスライドレールとし、このスライドレールよりもスライド介装体の長さを短く設定するようにしてもよい。
【００１３】
この構成によると、互いにスライドするスライドレールの間に、両者よりも長さの短いスライド介装体を介装するので、スライド介装体が両者のうちの滑りやすい側のスライドレールに対して滑ることによって、スライドレール同士をスライドさせることができ、スライド部のスライド性能をより高めることができる。しかも、スライド介装体が両側のスライドレールに対して滑ることによって、スライド部のスライド量を増大させることができる。
【００１４】
また、フレーム部材を前後方向に重ね、フレーム部材が前後方向に離間するのを阻止するよう、スライドレールを互いにスライド介装体を介して前後方向に係合させるようにしてもよい。
【００１５】
この構成によると、複数のフレーム部材を前後方向に重ねると共に、そのスライドレールを前後方向に係合させるので、両フレーム部材の重ねた部位が直に当接して両者の接近方向の動きを規制し、スライドレールの係合部分に介装したスライド介装体が両者の離間方向の動きを規制する。これにより、接近方向の動きに対してフレーム部材が直に当接する分、スライド方向と直交する方向への動きの全てをスライドレール間に介装したスライド介装体で規制する必要がなく、スライド部の構造を簡単にすることができる。
【００１６】
また、保持フレームの両端部をエキスパンションジョイント部の両側部位に回転自在に支持し、奥側のフレーム部材にヒンジ部を設けると共に、このヒンジ部を介して接続する両部位を相対的に回転させてヒンジ部を奥側に移動させる方向に付勢するばねを設け、手前側のフレーム部材に、奥側のフレーム部材に当接してヒンジ部の奥側への移動を規制するストッパーを設けるようにしてもよい。
【００１７】
この構成によると、保持フレームの両端部を回転自在に支持すると共に、奥側のフレーム部材にヒンジ部を設けるので、保持フレームをそのヒンジ部を前後方向に移動可能な構造に構成することができる。さらに、保持フレームをばねで付勢して、前側のフレーム部材に設けたストッパーを奥側のフレーム部材に当接させるので、その反作用として、両フレーム部材を離間させようとする力を生じさせることができる。これにより、スライドレールの係合部分に力を付与し、両フレーム部材を直に当接させることなく、スライド介装体を介してスライドさせることができ、そのスライド機能を高めることができる。
【００１８】
また、ストッパーとして、手前側のフレーム部材の先端部にローラーを設けるようにしてもよい。
【００１９】
この構成によると、ストッパーとしてローラーを用いるので、保持フレームの伸縮を阻害することなく、ストッパーを奥側のフレーム部材に当接させて、保持フレームのヒンジ部の奥側への移動を規制することができる。しかも、ローラーを手前側のフレーム部材の先端部に設けるので、手前側のフレーム部材の先端部をクリアランスに隣接する部位にスムーズに乗り上げさせることができ、クリアランスの両側部位のより大きな相対変位に追従させることができる。
【００２０】
また、フレーム部材及びスライド介装体を異種金属から形成するようにしてもよい。
【００２１】
この構成によると、フレーム部材及びスライド介装体の素材をそれぞれの部材に求められる機能に応じて適宜選択することができ、特に、フレーム部材及びスライド介装体を硬さの異なる異種金属から形成することにより、フレーム部材とスライド介装体との摩擦係数を小さくして滑りやすくすることができる。
【発明の効果】
【００２２】
以上のとおり、本発明によると、ジョイントカバーを保持する保持フレームを、軸方向にスライド自在に接続した複数のフレーム部材で構成し、そのスライド部の間にスライド介装体を介装している。これにより、スライド介装体の素材や形状を適宜設定して、スライド部のスライド性能を高めることができ、クリアランスの両側部位が相対変位する際、フレーム部材のスライドが阻害されることによるエキスパンションジョイント装置の破損を防止することができる。
【図面の簡単な説明】
【００２３】
【図１】本発明に係るエキスパンションジョイント装置（内壁用）の正面図
【図２】保持フレームの平面図
【図３】保持フレームの要部拡大平面図
【図４】保持フレームの背面図
【図５】図３のＡ−Ａ断面図
【図６】図３のＢ−Ｂ断面図
【図７】図３のＣ−Ｃ断面図
【図８】クリアランスが広がる際の保持フレームの動作を説明する図
【図９】クリアランスが狭まる際の保持フレームの動作を説明する図
【図１０】クリアランスの両側部位が前後にずれる際の保持フレームの動作を説明する図
【図１１】広がったクリアランスの両側部位が前後にずれる際の保持フレームの動作を説明する図
【図１２】狭まったクリアランスの両側部位が前後にずれる際の保持フレームの動作を説明する図
【図１３】外壁用のエキスパンションジョイント装置の保持フレームの平面図
【図１４】天井用のエキスパンションジョイント装置の保持フレームの平面図
【図１５】従来のエキスパンションジョイント装置を示す図
【発明を実施するための形態】
【００２４】
以下、本発明に係るエキスパンションジョイント装置を実施するための形態について、図面を用いて説明する。
【００２５】
図１〜図７に示すように、エキスパンションジョイント装置１は、例えば免震建築物のエキスパンションジョイントに用いるものであり、建築物の内壁２に設けられたエキスパンションジョイント部３のクリアランス４を正面側（手前側）から覆うジョイントカバー５と、このジョイントカバー５を保持する複数の保持フレーム６と、を備えている。
【００２６】
ジョイントカバー５は、例えばアルミニウム製のプレートとされ、エキスパンションジョイント装置１を装備する内壁２と同程度の高さで、かつ、建築物の振動や温度の増減のない状態におけるクリアランス４の標準幅よりもわずかに小さい幅に設定されている。このジョイントカバー５は、クリアランス４を正面側から覆うよう、内壁２の正面とほぼ面一に配置され、その背面側（奥側）において上下に並設された複数の保持フレーム６によって保持されている。
【００２７】
保持フレーム６は、手前側から奥側に向けて順に前後方向に重ねて配置される第１フレーム部材７、第２フレーム部材８、第３フレーム部材９及び第４フレーム部材１０と、隣接するフレーム部材７、８、９、１０の間に介装されるスライドピン１１ａ、１１ｂ、１１ｃとから構成される。この保持フレーム６は、スライドピン１１ａ、１１ｂ、１１ｃを介して、順次、フレーム部材７、８、９、１０を軸方向にスライド自在に接続した構造とされ、その両端部を内壁２のうちのクリアランス４を挟んで互いに対向する両側部位２ａ、２ｂに回転自在に支持されている。
【００２８】
保持フレーム６を構成する部材のうち、フレーム部材７、８、９、１０は、例えばアルミニウム製の押出型材とされ、また、スライドピン１１ａ、１１ｂ、１１ｃは、フレーム部材７、８、９、１０とは異種金属の例えばステンレス鋼からなる断面円形の棒材とされ、スライドピン１１ａ、１１ｂ、１１ｃがフレーム部材７、８、９、１０よりも長さを短く設定されている。
【００２９】
第１フレーム部材７は、ジョイントカバー５の幅とほぼ同じ長さに設定されて、水平方向に配置されると共に、上下に隣接する保持フレーム６の第１フレーム部材７と補強部材１２を介して連結され、その正面にジョイントカバー５をビス止めして保持している。
【００３０】
第１フレーム部材７の一端は、取付金具１３及び丁番１４を介して、クリアランス４に隣接する一方の部位２ａに支持されると共に、部位２ａに当接するようジョイントカバー５の端部に設けられたタイト材１５によって覆い隠されている。
【００３１】
第１フレーム部材７の他端には、その上下面に、第４フレーム部材１０に当接するローラー１６が設けられ、保持フレーム６が伸縮する際、第４フレーム部材１０に対してローラー１６が転動するようになっている。
【００３２】
第１フレーム部材７の断面形状は、略長方形の中空断面とされ、その上下面が背面側に延設されて、スライドピン１１ａを介して背面側の第２フレーム部材８と係合するスライド部としてのスライドレール１７が形成されている。スライドレール１７の先端には、上下方向で内向きに突出する係合爪１８が形成され、この係合爪１８に対してスライドピン１１ａが軸方向にスライド自在に係合するようになっている。スライドレール１７のうちのローラー１６の近傍には、スライドストッパー１７ａが形成され、スライドピン１１ａの他端側への抜け出しを阻止している。
【００３３】
第２フレーム部材８は、水平方向に配置されると共に、クリアランス４の内側において水平方向に移動可能なよう第１フレーム部材７よりも短く設定され、スライドピン１１ａを介して、第１フレーム部材７に対して離間不能かつ軸方向にスライド可能とされる。
【００３４】
第２フレーム部材８の断面形状は、上下方向の幅が第１フレーム部材７よりも小さい略長方形の中空断面とされ、その上下面が正面側に延設されて、スライド部としてのスライドレール１９が形成され、上下面が背面側に延設されて、スライド部としてのスライドレール２０が形成されている。
【００３５】
正面側のスライドレール１９の先端には、上下方向で外向きに突出する係合爪２１が形成されている。この係合爪２１に対してスライドピン１１ａが軸方向にスライド自在に係合することにより、スライドピン１１ａを介して、第１フレーム部材７のスライドレール１７と第２フレーム部材８のスライドレール１９とがスライド自在に係合する。
【００３６】
背面側のスライドレール２０の先端には、上下方向で外向きに突出する係合爪２２が形成され、この係合爪２２に対してスライドピン１１ｂが軸方向にスライド自在に係合するようになっている。
【００３７】
第２フレーム部材８の端部には、端板２３、２４が設けられ、第２フレーム部材８からのスライドピン１１ａ、１１ｂの抜け出しを阻止している。
【００３８】
第２フレーム部材８の上下面には、その前後方向で中央から上下方向に突出する突片２５が形成され、保持フレーム６が伸びてジョイントカバー５から第２フレーム部材８が露出した際にその背面側を隠す覆い板を、適宜取り付けることができるようになっている。
【００３９】
第３フレーム部材９は、水平方向に配置されると共に、クリアランス４の内側において水平方向に移動可能なよう、第２フレーム部材８と同程度の長さで第１フレーム部材７よりも短く設定され、スライドピン１１ｂを介して、第２フレーム部材８に対して離間不能かつ軸方向にスライド可能とされる。
【００４０】
第３フレーム部材９の他端には、その上下面に、第４フレーム部材１０に当接するローラー２６が設けられ、保持フレーム６が伸縮する際、第４フレーム部材１０に対してローラー２６が転動するようになっている。
【００４１】
第３フレーム部材９の断面形状は、上下方向の幅が第１フレーム部材７と同程度の略長方形の中空断面とされ、その上下面が正面側に延設されて、スライド部としてのスライドレール２７が形成され、上下面が背面側に延設されて、スライド部としてのスライドレール２８が形成されている。
【００４２】
正面側のスライドレール２７の先端には、上下方向で内向きに突出する係合爪２９が形成されている。この係合爪２９に対してスライドピン１１ｂが軸方向にスライド自在に係合することにより、スライドピン１１ｂを介して、第２フレーム部材８のスライドレール２０と第３フレーム部材９のスライドレール２７とがスライド自在に係合する。
【００４３】
背面側のスライドレール２８の先端には、上下方向で内向きに突出する係合爪３０が形成され、この係合爪３０に対してスライドピン１１ｃが軸方向にスライド自在に係合するようになっている。スライドレール２８のうちのローラー２６に付近には、スライドストッパー２８ａが形成され、スライドピン１１ｃの他端側への抜け出しを阻止している。
【００４４】
第３フレーム部材９の一端には、端板３１が設けられ、第３フレーム部材９からのスライドピン１１ｂ、１１ｃの一端側への抜け出しを阻止している。この端板３１は、第２フレーム部材８の端板２３に当接して、第２フレーム部材８に対する第３フレーム部材９の一端側への移動を制限する。
【００４５】
第３フレーム部材９の上下面には、その前後方向で中央から上下方向に突出する突片３２が形成され、保持フレーム６が伸びてジョイントカバー５から第３フレーム部材９が露出した際にその背面側を隠す覆い板を、適宜取り付けることができるようになっている。
【００４６】
第４フレーム部材１０は、第３フレーム部材９に対して離間不能かつ軸方向にスライド可能なスライドフレーム３３と、クリアランス４に隣接する他方の部位２ｂに揺動自在に支持される揺動フレーム３４とからなり、スライドフレーム３３と揺動フレーム３４とがヒンジ部３５を介して接続されている。
【００４７】
スライドフレーム３３は、水平方向に配置されると共に、第３フレーム部材９よりも短く、かつスライドピン１１ｃとほぼ同じ長さに設定され、スライドピン１１ｃを介して、第３フレーム部材９に対して離間不能かつ軸方向にスライド可能とされる。
【００４８】
スライドフレーム３３の断面形状は、上下方向の幅が第３フレーム部材９よりも小さい略長方形の中空断面とされ、その上下面が正面側に延設されて、上下方向で外向きに突出する係合爪３６が形成され、この係合爪３６がスライドピン１１ｃに係合する。
【００４９】
スライドフレーム３３の端部には、端板３７、３８が設けられ、この端板３７、３８がスライドフレーム３３に対するスライドピン１１ｃの移動を規制することにより、スライドフレーム３３がスライドピン１１ｃと共に、第３フレーム部材９のスライドレール２８に対してスライド自在とされる。
【００５０】
スライドフレーム３３の背面側には、捩りばね受け３９が設けられ、この捩りばね受け３９に、ヒンジ部３５に設けられる捩りばね４０の一端が取り付けられる。
【００５１】
揺動フレーム３４は、略長方形の中空断面とされ、第１フレーム部材７よりも短く、かつ第２フレーム部材８及び第３フレーム部材９よりも長く設定されて、水平方向に配置される。この揺動フレーム３４の正面には、保持フレーム６が伸びてジョイントカバー５から第４フレーム部材１０が露出した際にその背面側を隠す奥側カバー４１が取り付けられている。
【００５２】
奥側カバー４１は、正面カバー４１ａ及び背面カバー４１ｂを重ねて揺動フレーム３４の正面にビス止めしてなり、正面カバー４１ａの他端付近に、正面側に向けて突出する突出部分４１ｃが形成されると共に、背面カバー４１ｂの端部が正面側に折曲されて、正面カバー４１ａの突出部分４１ｃを補強している。
【００５３】
揺動フレーム３４の他端は、取付金具４２及び丁番４３を介して、クリアランス４に隣接する他方の部位２ｂに支持されると共に、部位２ｂに当接するよう正面カバー４１ａの端部に設けられたタイト材４４によって覆い隠されている。
【００５４】
揺動フレーム３４の一端には、奥側カバー４１を介してヒンジ部３５が固定され、このヒンジ部３５に捩りばね４０が設けられると共に、揺動フレーム３４の一端付近が引張ばね４５を介して部位２ｂに接続されている。これにより、揺動フレーム３４がヒンジ部３５及び捩りばね４０を介してスライドフレーム３３と接続されると共に、捩りばね４０及び引張ばね４５が、スライドフレーム３３及び揺動フレーム３４を相対的に回転させてヒンジ部３５を奥側に移動させる方向に付勢する。
【００５５】
捩りばね４０及び引張ばね４５の付勢力は、スライドフレーム３３を介して第３フレーム部材９に伝えられ、第３フレーム部材９の他端のローラー２６を揺動フレーム３４の正面の奥側カバー４１に当接させる。また、第３フレーム部材９に伝えられた付勢力は、第２フレーム部材８を介して第１フレーム部材７に伝えられ、第１フレーム部材７の他端のローラー１６を奥側カバー４１の突出部分４１ｃに当接させる。
【００５６】
ローラー２６及びローラー１６は、奥側カバー４１を介して揺動フレーム３４に当接することにより、ヒンジ部３５の奥側への移動を規制するストッパーとして機能し、その反作用により、第１フレーム部材７、第２フレーム部材８、第３フレーム部材９及びスライドフレーム３３を互いに離間する方向に付勢する。これにより、第１フレーム部材７、第２フレーム部材８、第３フレーム部材９及びスライドフレーム３３が直接接触することなく、スライドピン１１ａ、１１ｂ、１１ｃを介して接続される。
【００５７】
次に、クリアランス４の両側部位２ａ、２ｂが相対変位する際の保持フレーム６の動作を説明する。まず、クリアランス４が広がる際の保持フレーム６の動作を説明する。
【００５８】
図８に示すように、クリアランス４が標準幅の状態では、第１フレーム部材７のローラー１６が、捩りばね４０及び引張ばね４５の付勢力によって、奥側カバー４１の突出部分４１ｃに当接し、第２フレーム部材８及び第３フレーム部材９の一端とスライドフレーム３３の一端との水平方向の位置が合うように設定される（図８（ａ））。
【００５９】
クリアランス４が標準幅の状態から広がると、第１フレーム部材７がスライドピン１１ａを介して第２フレーム部材８に対してスライドし、第１フレーム部材７が一端側に移動する。その後、スライドピン１１ａの両端が第１フレーム部材７のスライドストッパー１７ａと第２フレーム部材８の端板２３とに当接した状態で、第１フレーム部材７の第２フレーム部材８に対するスライド移動が規制される（図８（ｂ））。
【００６０】
その際、第１フレーム部材７が第２フレーム部材８に対してスライド移動することにより、第１フレーム部材７は、クリアランス４に隣接する他方の部位２ｂに支持された第４フレーム部材１０に対しても一端側に移動する。また、その移動が始まった段階では、ローラー１６が第４フレーム部材１０に固定された奥側カバー４１の突出部分４１ｃを転動し、その後、ローラー１６が突出部分４１ｃよりも一端側に位置するまで移動する。
【００６１】
クリアランス４がさらに広がると、第２フレーム部材８がスライドピン１１ｂを介して第３フレーム部材９に対してスライドし、第２フレーム部材８が第１フレーム部材７と共に一端側に移動する。その後、スライドピン１１ｂの両端が第２フレーム部材８の端板２４と第３フレーム部材９の端板３１とに当接した状態で、第２フレーム部材８の第３フレーム部材９に対するスライド移動が規制される（図８（ｃ））。
【００６２】
クリアランス４がさらに広がると、第３フレーム部材９がスライドピン１１ｃを介して第４フレーム部材１０のスライドフレーム３３に対してスライドし、第３フレーム部材９が第１フレーム部材７及び第２フレーム部材８と共に一端側に移動する。その後、スライドフレーム３３の端板３８が第３フレーム部材９のスライドストッパー２８ａに当接した状態で、第３フレーム部材９の第４フレーム部材１０に対するスライド移動が規制される（図８（ｄ））。
【００６３】
なお、図８を用いた上記動作の説明では、第１フレーム部材７の第２フレーム部材８に対するスライド移動、第２フレーム部材８の第３フレーム部材９に対するスライド移動、及び第３フレーム部材９の第４フレーム部材１０に対するスライド移動がこの順番で生じるものとしたが、各スライド移動は、必ずしもこの順番で生じる必要はなく、別の順番で生じてもよく、さらに、各スライド移動が同時に生じてもよい。
【００６４】
次に、クリアランス４が狭まる際の保持フレーム６の動作を説明する。
【００６５】
図９に示すように、クリアランス４が標準幅の状態では、第１フレーム部材７のローラー１６が、捩りばね４０及び引張ばね４５の付勢力によって、奥側カバー４１の突出部分４１ｃの下面に当接している（図９（ａ））。
【００６６】
クリアランス４が標準幅の状態から狭まると、第１フレーム部材７がスライドピン１１ａを介して第２フレーム部材８に対して他端側にスライド移動し、これにより、第１フレーム部材７が、クリアランス４に隣接する他方の部位２ｂに支持された第４フレーム部材１０に対しても他端側に移動する。
【００６７】
このときの第１フレーム部材７の動作を説明すると、第１フレーム部材７の移動が始まった段階では、その他端のローラー１６が奥側カバー４１の突出部分４１ｃを転動し、その後、ローラー１６が、突出部分４１ｃに連続して揺動フレーム３４の他端を覆い隠す奥側カバー４１の端部に乗り上げる。
【００６８】
その際、ローラー１６が突出部分４１ｃよりも正面側に離間しながら第１フレーム部材７を傾斜させる。これにより、第１フレーム部材７と一体にスライドフレーム３３が傾斜し、第４フレーム部材１０のスライドフレーム３３と揺動フレーム３４とが、捩りばね４０及び引張ばね４５の付勢力に抗して、ヒンジ部３５を正面側に移動させるよう相対的に回転する。
【００６９】
第１フレーム部材７がさらに移動することにより、第１フレーム部材７が、その傾斜を増大させながら奥側カバー４１の端部を滑り、第１フレーム部材７の他端をクリアランス４に隣接する他方の部位２ｂに乗り上げさせるようにして移動する（図９（ｂ）〜（ｄ））。
【００７０】
次に、クリアランス４の両側部位２ａ、２ｂが前後にずれる際の保持フレーム６の動作を説明する。
【００７１】
図１０に示すように、クリアランス４が標準幅の状態のまま、クリアランス４の両側部位２ａ、２ｂが前後にずれると、保持フレーム６が、両側部位２ａ、２ｂに回転自在に支持された両端部を回転させながら、両側部位２ａ、２ｂの前後のずれに追従する。その際、両端部が前後にずれることによって保持フレーム６の軸方向長さが変化するが、この軸方向長さの変化に、フレーム部材７、８、９、１０が互いにスライドして追従する（図１０（ａ）〜（ｃ））。
【００７２】
図１１に示すように、クリアランス４が広がった状態の場合も、両側部位２ａ、２ｂが前後にずれると、保持フレーム６がその両端部を回転させながら両側部位２ａ、２ｂの前後のずれに追従する（図１１（ａ）〜（ｃ））。
【００７３】
なお、両端部が前後にずれることによって、保持フレーム６が軸方向に伸びる必要があるので、クリアランス４が広がるほど、保持フレーム６が追従可能な前後のずれは小さくなる。
【００７４】
図１２に示すように、クリアランスが狭まった状態の場合も、両側部位２ａ、２ｂが前後にずれると、保持フレーム６がその両端部を回転させながら両側部位２ａ、２ｂの前後のずれに追従する（図１２（ａ）〜（ｃ））。
【００７５】
なお、本発明は、上記の実施の形態に限定されるものではなく、本発明の範囲内において、適宜変更を加えることができる。例えば、図１３に示すように、エキスパンションジョイント装置１は、建築物の内壁２に設ける代わりに、建築物の外壁４６に設けることもできる。この場合、タイト材１５、４４を両側部位４６ａ、４６ｂに当接させる代わりに、取付金具１３、４２に形成した受け部４７に当接させてシール性を高めるのがよい。
【００７６】
また、図１４に示すように、エキスパンションジョイント装置４８を建築物の天井４９のエキスパンションジョイント部５０に設けることもできる。エキスパンションジョイント装置４８は、その保持フレーム５１を上側フレーム５２と下側フレーム５３とで構成し、その下側フレーム５３でジョイントカバー５４を保持している。
【００７７】
上側フレーム５２は、水平方向に配置されてクリアランス５５の両側のうちの一方の部位４９ａに固定され、下側フレーム５３は、水平方向に配置されてクリアランス５５の両側のうちの他方の部位４９ｂに固定される。さらに、スライドピン５６を介して、上側フレーム５２に対して下側フレーム５３がスライド自在に接続され、クリアランス５５の広がり又は狭まりに追従するようになっている。
【００７８】
また、フレーム部材７、８、９、１０の間には、スライドピン１１ａ、１１ｂ、１１ｃに代えて、球状のスライド介装体を介装することもでき、これにより、スライド性能をより高めるができる。この場合、フレーム部材７、８、９、１０及び球状のスライド介装体自体の強度や設定可動量に応じて、各箇所に介装する球状のスライド介装体の個数を適宜設定すればよい。
【符号の説明】
【００７９】
１      エキスパンションジョイント装置
２      内壁
２ａ    一方の部位
２ｂ    他方の部位
３      エキスパンションジョイント部
４      クリアランス
５      ジョイントカバー
６      保持フレーム
７      第１フレーム部材
８      第２フレーム部材
９      第３フレーム部材
１０    第４フレーム部材
１１ａ、１１ｂ、１１ｃ  スライドピン
１２    補強部材
１３    取付金具
１４    丁番
１５    タイト材
１６    ローラー
１７    スライドレール（第１フレーム部材）
１７ａ  スライドストッパー
１８    係合爪
１９    スライドレール（第２フレーム部材の正面側）
２０    スライドレール（第２フレーム部材の背面側）
２１、２２  係合爪
２３、２４  端板
２５    突片
２６    ローラー
２７    スライドレール（第３フレーム部材の正面側）
２８    スライドレール（第３フレーム部材の背面側）
２８ａ  スライドストッパー
２９、３０  係合爪
３１    端板
３２    突片
３３    スライドフレーム（第４フレーム部材）
３４    揺動フレーム
３５    ヒンジ部
３６    係合爪
３７、３８  端板
３９    捩りばね受け
４０    捩りばね
４１    奥側カバー
４１ａ  正面カバー
４１ｂ  背面カバー
４１ｃ  突出部分
４２    取付金具
４３    丁番
４４    タイト材
４５    引張ばね
４６    外壁
４７    受け部
４８    エキスパンションジョイント装置
４９    天井
４９ａ  一方の部位
４９ｂ  他方の部位
５０    エキスパンションジョイント部
５１    保持フレーム
５２    上側フレーム
５３    下側フレーム
５４    ジョイントカバー
５５    クリアランス
５６    スライドピン
【図１】
2015059326.tif 000003
【図２】
2015059326.tif 000004
【図３】
2015059326.tif 000005
【図４】
2015059326.tif 000006
【図５】
2015059326.tif 000007
【図６】
2015059326.tif 000008
【図７】
2015059326.tif 000009
【図８】
2015059326.tif 000010
【図９】
2015059326.tif 000011
【図１０】
2015059326.tif 000012
【図１１】
2015059326.tif 000013
【図１２】
2015059326.tif 000014
【図１３】
2015059326.tif 000015
【図１４】
2015059326.tif 000016
【図１５】
2015059326.tif 000017
【手続補正書】
【提出日】平成26年12月24日(2014.12.24)
【手続補正１】
【補正対象書類名】特許請求の範囲
【補正対象項目名】全文
【補正方法】変更
【補正の内容】
【特許請求の範囲】
【請求項１】
建築物のエキスパンションジョイント部のクリアランスを手前側から覆うジョイントカバーと、該ジョイントカバーを保持する保持フレームと、を備え、前記保持フレームがエキスパンションジョイント部のクリアランスを挟んで互いに対向する両側部位に支持されたエキスパンションジョイント装置であって、
前記保持フレームは、複数のフレーム部材をその軸方向にスライド自在に接続してなり、互いに接続されるフレーム部材のスライド部の間にスライド介装体が介装され、
前記スライド介装体は、その中心軸を前記フレーム部材のスライド方向と平行に設定して配置したスライドピンとされたことを特徴とするエキスパンションジョイント装置。
【請求項２】
前記スライド部は、スライド介装体を介して互いにスライドするスライドレールとされ、該スライドレールよりも前記スライド介装体の長さが短く設定されたことを特徴とする請求項１に記載のエキスパンションジョイント装置。
【請求項３】
前記フレーム部材が前後方向に重ねられ、前記フレーム部材が前後方向に離間するのを阻止するよう、前記スライドレールが互いにスライド介装体を介して前後方向に係合されたことを特徴とする請求項２に記載のエキスパンションジョイント装置。
【請求項４】
前記保持フレームは、その両端部がエキスパンションジョイント部の前記両側部位に回転自在に支持され、奥側のフレーム部材にヒンジ部が設けられると共に、該ヒンジ部を介して接続される両部位を相対的に回転させてヒンジ部を奥側に移動させる方向に付勢するばねが設けられ、手前側のフレーム部材に、奥側のフレーム部材に当接して前記ヒンジ部の奥側への移動を規制するストッパーが設けられたことを特徴とする請求項３に記載のエキスパンションジョイント装置。
【請求項５】
前記ストッパーは、手前側のフレーム部材の先端部に設けられたローラーとされたことを特徴とする請求項４に記載のエキスパンションジョイント装置。
【請求項６】
前記フレーム部材及びスライド介装体が異種金属から形成されたことを特徴とする請求項１〜５のいずれかに記載のエキスパンションジョイント装置。